(57)【要約】      （修正有）【課題】物理ブロードキャストチャネル（ＰＢＣＨ）のカバレージ拡張のためのユーザ機器（ＵＥ）によるワイヤレス通信方法を提供関する。【解決手段】本方法は、物理ダウンリンク共有チャネル（ＰＤＳＣＨ）送信を受信することと、ＰＤＳＣＨ送信と比較して上昇した送信電力を有する異なるタイプのダウンリンク送信を受信することと、異なるタイプのダウンリンク送信の送信電力に基づいて共通基準信号（ＣＲＳ）に対するＰＤＳＣＨ送信の相対送信電力に関する情報を受信することと、その情報に基づいてＰＤＳＣＨ送信を処理することとを含む。【選択図】図６
2019169957.tif 000002
【特許請求の範囲】
【請求項１】
ユーザ機器（ＵＥ）によるワイヤレス通信のための方法であって、
物理ダウンリンク共有チャネル（ＰＤＳＣＨ）送信を受信することと、
前記ＰＤＳＣＨ送信と比較して上昇した送信電力を有する、異なるタイプのダウンリンク送信を受信することと、
前記異なるタイプのダウンリンク送信の前記送信電力に基づいて共通基準信号（ＣＲＳ）に対する前記ＰＤＳＣＨ送信の相対送信電力に関する情報を受信することと、
前記情報に基づいて前記ＰＤＳＣＨ送信を処理することと
を備える、方法。
【請求項２】
前記異なるタイプのダウンリンク送信が、物理ブロードキャストチャネル（ＰＢＣＨ）送信を備え、ここにおいて、
前記ＰＢＣＨ送信の送信電力が、１つまたは複数の電力割振りパラメータの組に基づいて上昇され、
１つまたは複数の電力割振りパラメータの前記組が、ＰＢＣＨシンボル用の少なくとも１つの電力割振りパラメータと、非ＰＢＣＨシンボル用の少なくとも１つの電力割振りパラメータとを備える、
請求項１に記載の方法。
【請求項３】
ヌルトーンの電力調整に関するシグナリングを受信することをさらに備える、請求項２に記載の方法。
【請求項４】
システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記ＰＢＣＨ送信のためのレートマッチング情報を受信することをさらに備える、請求項２に記載の方法。
【請求項５】
前記ＰＢＣＨ送信に使用されないＰＤＳＣＨシンボルの電力調整に関するシグナリングを受信することをさらに備える、請求項２に記載の方法。
【請求項６】
前記異なるタイプのダウンリンク送信が、少なくとも１つの同期信号を備える、請求項１に記載の方法。
【請求項７】
基地局（ＢＳ）によるワイヤレス通信のための方法であって、
無線フレームの少なくとも１つのサブフレーム中の物理ブロードキャストチャネル（ＰＢＣＨ）を送信することと、
前記無線フレームの前記同じサブフレームまたは異なるサブフレームのうちの少なくとも１つにおいて前記ＰＢＣＨの送信を反復することと
を備える、方法。
【請求項８】
前記ＰＢＣＨの反復送信が、いくつかの動作帯域幅のみを用いて実行される、請求項７に記載の方法。
【請求項９】
前記ＰＢＣＨの反復送信が、前記送信されたＰＢＣＨとは異なるシンボルを使用した前記同じサブフレーム中の前記ＰＢＣＨの反復送信を備える、請求項７に記載の方法。
【請求項１０】
前記ＰＢＣＨの反復送信が、異なる周波数リソースを使用した前記同じサブフレーム中の前記ＰＢＣＨの反復送信を備える、請求項７に記載の方法。
【請求項１１】
前記ＰＢＣＨの反復送信が、各送信における同じバージョンおよびペイロードでの前記ＰＢＣＨの反復送信を備える、請求項７に記載の方法。
【請求項１２】
前記ＰＢＣＨの反復送信が、いくつかの無線フレームのみにおいて実行される、請求項７に記載の方法。
【請求項１３】
システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記反復されたＰＢＣＨ送信のためのレートマッチング情報をシグナリングすることをさらに備える、請求項７に記載の方法。
【請求項１４】
前記ＰＢＣＨの反復送信は、ユーザ機器（ＵＥ）からのバンドルされたランダムアクセスチャネル（ＲＡＣＨ）送信の受信によってトリガされる、請求項７に記載の方法。
【請求項１５】
ユーザ機器（ＵＥ）によるワイヤレス通信のための方法であって、
無線フレーム中の反復された物理ブロードキャストチャネル（ＰＢＣＨ）送信のためのレートマッチング情報を受信することと、
前記レートマッチング情報に基づいて前記無線フレーム中のダウンリンク送信を処理することと
を備える、方法。
【請求項１６】
前記ＰＢＣＨ送信が、前記無線フレームの同じサブフレームまたは異なるサブフレームのうちの少なくとも１つにおいて反復される、請求項１５に記載の方法。
【請求項１７】
前記レートマッチング情報が、システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介してシグナリングされる、請求項１５に記載の方法。
【請求項１８】
基地局（ＢＳ）によるワイヤレス通信のための方法であって、
ユーザ機器（ＵＥ）からバンドルされたランダムアクセスチャネル（ＲＡＣＨ）送信を受信することと、
前記バンドルされたＲＡＣＨ送信を受信することに応答してブロードキャスト情報のバンドルされた送信をトリガすることと
を備える、方法。
【請求項１９】
ブロードキャスト情報の前記バンドルされた送信が、少なくとも１つのシステム情報ブロック（ＳＩＢ）を備える、請求項１８に記載の方法。
【請求項２０】
ブロードキャスト情報の前記バンドルされた送信が、利用可能なＳＩＢのサブセットのみを備える、請求項１９に記載の方法。
【請求項２１】
ブロードキャスト情報の前記バンドルされた送信が、少なくとも１つの物理ブロードキャストチャネル（ＰＢＣＨ）を備える、請求項１８に記載の方法。
【請求項２２】
ブロードキャスト情報の前記バンドルされた送信が、少なくとも１つのシステム情報ブロック（ＳＩＢ）をさらに備える、請求項２１に記載の方法。
【請求項２３】
前記バンドルされたＲＡＣＨ送信を受信する前にバンドルされた物理ＲＡＣＨ（ＰＲＡＣＨ）構成を示すシステム情報ブロック（ＳＩＢ）のバンドルされた送信を送信することをさらに備える、請求項１８に記載の方法。
【発明の詳細な説明】
【技術分野】
【０００１】
関連出願の相互参照
[0001]本出願は、その全体が参照により本明細書に組み込まれる、２０１３年９月１８日に出願された米国仮特許出願第６１／８７９，６３４号の利益を主張する。
【０００２】
[0002]本開示のいくつかの態様は、一般に、ワイヤレス通信に関し、より詳細には、物理ブロードキャストチャネル（ＰＢＣＨ）のカバレージ拡張に関する。
【背景技術】
【０００３】
[0003]ワイヤレス通信システムは、音声、データなどの、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標）：Long Term Evolution）アドバンストシステムを含む第３世代パートナーシッププロジェクト（３ＧＰＰ（登録商標）：3rd Generation Partnership Project）ＬＴＥ、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力または多入力多出力（ＭＩＭＯ）システムを介して確立され得る。
【発明の概要】
【０００５】
[0005]本開示のシステム、方法、およびデバイスは、各々いくつかの態様を有し、それらのうちの単一の態様が単独で本開示の望ましい属性を担うわけではない。次に、以下の特許請求の範囲によって表される本開示の範囲を限定することなしに、いくつかの特徴について手短に説明する。この説明を考慮した後、特に「発明を実施するための形態」と題するセクションを読んだ後、本開示の特徴が、ワイヤレスネットワーク中のアクセスポイントと局との間の改善された通信を含む利点をどのように提供するかが理解されよう。
【０００６】
[0006]物理ブロードキャストチャネル（ＰＢＣＨ）のカバレージ拡張のための技法および装置が本明細書で提供される。
【０００７】
[0007]本開示のいくつかの態様は、基地局（ＢＳ）によるワイヤレス通信のための方法を提供する。本方法は、一般に、物理ダウンリンク共有チャネル（ＰＤＳＣＨ：physical downlink shared channel）を送信する際に使用するための１つまたは複数の電力割振りパラメータの第１の組を取得することと、１つまたは複数の電力割振りパラメータの第２の組に基づいて、電力割振りパラメータの第１の組を使用して送られたＰＤＳＣＨ送信と比較して上昇した送信電力で異なるタイプのダウンリンク送信を送信することとを含む。本開示のいくつかの態様は、基地局（ＢＳ）によるワイヤレス通信のための装置を提供する。本装置は、一般に、物理ダウンリンク共有チャネル（ＰＤＳＣＨ）を送信する際に使用するための１つまたは複数の電力割振りパラメータの第１の組を取得することと、１つまたは複数の電力割振りパラメータの第２の組に基づいて、電力割振りパラメータの第１の組を使用して送られたＰＤＳＣＨ送信と比較して上昇した送信電力で異なるタイプのダウンリンク送信を送信することとを行うように構成された少なくとも１つのコントローラまたはプロセッサを含む。
【０００８】
[0008]本開示のいくつかの態様は、ユーザ機器（ＵＥ）によるワイヤレス通信のための方法を提供する。本方法は、一般に、ＰＤＳＣＨ送信を受信することと、ＰＤＳＣＨ送信と比較して上昇した送信電力を有する異なるタイプのダウンリンク送信を受信することと、異なるタイプのダウンリンク送信の送信電力に基づいて共通基準信号（ＣＲＳ：common reference signal）に対するＰＤＳＣＨ送信の相対送信電力に関する情報を受信することと、その情報に基づいてＰＤＳＣＨ送信を処理することとを含む。本開示のいくつかの態様は、ユーザ機器（ＵＥ）によるワイヤレス通信のための装置を提供する。本装置は、一般に、ＰＤＳＣＨ送信を受信することと、ＰＤＳＣＨ送信と比較して上昇した送信電力を有する異なるタイプのダウンリンク送信を受信することと、異なるタイプのダウンリンク送信の送信電力に基づいて共通基準信号（ＣＲＳ）に対するＰＤＳＣＨ送信の相対送信電力に関する情報を受信することと、その情報に基づいてＰＤＳＣＨ送信を処理することとを行うように構成された少なくとも１つのコントローラまたはプロセッサを含む。
【０００９】
[0009]本開示のいくつかの態様は、ＢＳによるワイヤレス通信のための方法を提供する。本方法は、一般に、無線フレームの少なくとも１つのサブフレーム中のＰＢＣＨを送信することと、無線フレームの同じサブフレームまたは異なるサブフレームのうちの少なくとも１つの中のＰＢＣＨの送信を反復することとを含む。本開示のいくつかの態様は、ＢＳによるワイヤレス通信のための装置を提供する。本装置は、一般に、無線フレームの少なくとも１つのサブフレーム中のＰＢＣＨを送信することと、無線フレームの同じサブフレームまたは異なるサブフレームのうちの少なくとも１つの中のＰＢＣＨの送信を反復することとを行うように構成された少なくとも１つのコントローラまたはプロセッサを含む。
【００１０】
[0010]本開示のいくつかの態様は、ＵＥによるワイヤレス通信のための方法を提供する。本方法は、一般に、無線フレーム中の反復されたＰＢＣＨ送信のためのレートマッチング情報を受信することと、レートマッチング情報に基づいて無線フレーム中のダウンリンク送信を処理することとを含む。本開示のいくつかの態様は、ＵＥによるワイヤレス通信のための装置を提供する。本装置は、一般に、無線フレーム中の反復されたＰＢＣＨ送信のためのレートマッチング情報を受信することと、レートマッチング情報に基づいて無線フレーム中のダウンリンク送信を処理することとを行うように構成された少なくとも１つのコントローラまたはプロセッサを含む。
【００１１】
[0011]本開示のいくつかの態様は、ＢＳによるワイヤレス通信のための方法を提供する。本方法は、一般に、バンドルされたランダムアクセスチャネル（ＲＡＣＨ）送信をＵＥから受信することと、バンドルされたＲＡＣＨ送信を受信することに応答してブロードキャスト情報のバンドルされた送信をトリガすることとを含む。本開示のいくつかの態様は、ＢＳによるワイヤレス通信のための装置を提供する。本装置は、一般に、バンドルされたランダムアクセスチャネル（ＲＡＣＨ）送信をＵＥから受信することと、バンドルされたＲＡＣＨ送信を受信することに応答してブロードキャスト情報のバンドルされた送信をトリガすることとを行うように構成された少なくとも１つのコントローラまたはプロセッサを含む。
【００１２】
[0012]本開示のいくつかの態様は、ＵＥによるワイヤレス通信のための方法を提供する。本方法は、一般に、バンドルされた物理ＲＡＣＨ（ＰＲＡＣＨ：physical RACH）構成を示すシステム情報ブロック（ＳＩＢ：system information block）のバンドルされた送信を受信することと、ブロードキャスト情報のバンドルされた送信をトリガするためにＰＲＡＣＨ構成に従ってバンドルされたＲＡＣＨ送信を実行することとを含む。本開示のいくつかの態様は、ＵＥによるワイヤレス通信のための装置を提供する。本装置は、一般に、バンドルされた物理ＲＡＣＨ（ＰＲＡＣＨ）構成を示すシステム情報ブロック（ＳＩＢ）のバンドルされた送信を受信することと、ブロードキャスト情報のバンドルされた送信をトリガするためにＰＲＡＣＨ構成に従ってバンドルされたＲＡＣＨ送信を実行することとを行うように構成された少なくとも１つのコントローラまたはプロセッサを含む。
【００１３】
[0013]方法、装置、システム、コンピュータプログラム製品、および処理システムを含む多数の他の態様が提供される。
【００１４】
[0014]本開示の上述の特徴を詳細に理解することができるように、添付の図面にその一部を示す態様を参照することによって、上記で簡単に要約した内容のより具体的な説明が得られる。しかしながら、添付の図面は本開示の特定の典型的態様を図示したものにすぎず、したがって説明は他の等しく有効な態様を許容することができるため、本開示の範囲を制限するものとして見なされるべきではないことに留意されたい。
【図面の簡単な説明】
【００１５】
【図１】[0015]本開示のいくつかの態様による、例示的なワイヤレス通信ネットワークを概念的に示すブロック図。
【図２】[0016]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0017]本開示のいくつかの態様による、ワイヤレス通信ネットワークにおいて使用するための特定の無線アクセス技術（ＲＡＴ）の例示的なフレーム構造を概念的に示すブロック図。
【図４】[0018]本開示のいくつかの態様による、ノーマルサイクリックプレフィックスを有する、ダウンリンク用の例示的なサブフレームフォーマットを示す図。
【図５】[0019]本開示のいくつかの態様による、基地局の例示的な動作を示す図。
【図５Ａ】[0020]本開示のいくつかの態様による、図５に示す動作を実行することが可能な例示的な手段を示す図。
【図６】[0021]本開示のいくつかの態様による、ＵＥの例示的な動作を示す図。
【図６Ａ】[0022]本開示のいくつかの態様による、図６に示す動作を実行することが可能な例示的な手段を示す図。
【図７】[0023]本開示のいくつかの態様による、基地局の例示的な動作を示す図。
【図７Ａ】[0024]本開示のいくつかの態様による、図７に示す動作を実行することが可能な例示的な手段を示す図。
【図８】[0025]本開示のいくつかの態様による、ＵＥの例示的な動作を示す図。
【図８Ａ】[0026]本開示のいくつかの態様による、図８に示す動作を実行することが可能な例示的な手段を示す図。
【図９】[0027]本開示のいくつかの態様による、ＢＳの例示的な動作を示す図。
【図９Ａ】[0028]本開示のいくつかの態様による、図９に示す動作を実行することが可能な例示的な手段を示す図。
【図１０】[0029]本開示のいくつかの態様による、ＵＥの例示的な動作を示す図。
【図１０Ａ】[0030]本開示のいくつかの態様による、図１０に示す動作を実行することが可能な例示的な手段を示す図。
【発明を実施するための形態】
【００１６】
[0031]本開示の態様は、いくつかのユーザ機器（たとえば、低コストＵＥ、低データレートＵＥ）のダウンリンクカバレージを拡張するための技法および装置を提供する。
【００１７】
[0032]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００規格、ＩＳ−９５規格、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥアドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体の文書に記載されている。ＣＤＭＡ２０００およびＵＭＢは、「第３世代パートナーシッププロジェクト２」（３ＧＰＰ２）と称する団体の文書に記載されている。本明細書で説明する技法は、上述のワイヤレスネットワークおよび無線技術、ならびに他のワイヤレスネットワークおよび無線技術に使用され得る。明快のために、本技法のいくつかの態様について以下ではＬＴＥ／ＬＴＥ−Ａに関して説明し、以下の説明の大部分でＬＴＥ／ＬＴＥ−Ａ用語を使用する。
例示的なワイヤレス通信システム
[0033]図１は、本開示の技法および装置が適用され得る、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と、他のネットワークエンティティとを含み得る。ｅＮＢは、ユーザ機器（ＵＥ）と通信するエンティティであり、基地局、ノードＢ、アクセスポイント（ＡＰ）などと呼ばれることもある。各ｅＮＢは、特定の地理的エリアに通信カバレッジを提供し得る。３ＧＰＰでは、「セル」という用語は、この用語が使用されるコンテキストに応じて、ｅＮＢのカバレージエリア、またはこのカバレージエリアにサービスするｅＮＢサブシステムを指すことがある。
【００１８】
[0034]ｅＮＢは、マクロセル、ピコセル、フェムトセル、または他のタイプのセルに通信カバレージを提供し得る。マクロセルは、比較的大きい地理的エリア（たとえば、半径数キロメートル）をカバーすることができ、サービスに加入しているＵＥによる無制限のアクセスを許容する場合がある。ピコセルは、比較的小さい地理的エリアをカバーすることができ、サービスに加入しているＵＥによる無制限のアクセスを許容する場合がある。フェムトセルは、比較的小さい地理的エリア（たとえば、住宅）をカバーすることができ、フェムトセルとの関連を有するＵＥ（たとえば、限定加入者グループ（ＣＳＧ：Closed Subscriber Group）中のＵＥ）による制限付きアクセスを許容する場合がある。マクロセル用のｅＮＢは、マクロｅＮＢと呼ばれることがある。ピコセル用のｅＮＢは、ピコｅＮＢと呼ばれることがある。フェムトセル用のｅＮＢは、フェムトｅＮＢまたはホームｅＮＢ（ＨｅＮＢ）と呼ばれることがある。図１に示す例では、ｅＮＢ１１０ａは、マクロセル１０２ａ用のマクロｅＮＢである場合があり、ｅＮＢ１１０ｂは、ピコセル１０２ｂ用のピコｅＮＢである場合があり、ｅＮＢ１１０ｃは、フェムトセル１０２ｃ用のフェムトｅＮＢである場合がある。ｅＮＢは、１つまたは複数の（たとえば、３つの）セルをサポートし得る。「ｅＮＢ」、「基地局」、および「セル」という用語は、本明細書では互換的に使用され得る。
【００１９】
[0035]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局は、他のＵＥに対して送信を中継することのできるＵＥであってもよい。図１に示す例では、中継局１１０ｄは、ｅＮＢ１１０ａとＵＥ１２０ｄとの間の通信を容易にするためにマクロｅＮＢ１１０ａおよびＵＥ１２０ｄと通信することができる。中継局は、中継ｅＮＢ、中継基地局、リレーなどと呼ばれる場合もある。
【００２０】
[0036]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信パワーレベル、様々なカバレージエリア、およびワイヤレスネットワーク１００中の干渉に対する様々な影響を有し得る。たとえば、マクロｅＮＢは、高い送信電力レベル（たとえば、５〜４０Ｗ）を有し得るが、ピコｅＮＢ、フェムトｅＮＢ、および中継ｅＮＢは比較的低い送信電力レベル（たとえば、０．１〜２Ｗ）を有し得る。
【００２１】
[0037]ネットワークコントローラ１３０は、１組のｅＮＢに結合することができ、これらのｅＮＢに調整および制御を提供することができる。ネットワークコントローラ１３０は、バックホールを介してｅＮＢと通信し得る。ｅＮＢはまた、たとえば、ワイヤレスバックホールまたはワイヤラインバックホールを介して直接または間接的に互いに通信し得る。
【００２２】
[0038]ＵＥ１２０（たとえば、１２０ａ、１２０ｂ、１２０ｃ）は、ワイヤレスネットワーク１００全体に拡散される場合があり、各ＵＥは、固定またはモバイルであり得る。ＵＥは、アクセス端末、端末、移動局（ＭＳ）、加入者ユニット、局（ＳＴＡ）などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。
【００２３】
[0039]図２は、図１の基地局／ｅＮＢのうちの１つであり得る基地局／ｅＮＢ１１０、および図１のＵＥのうちの１つであり得るＵＥ１２０の設計のブロック図を示す。基地局１１０は、Ｔ個のアンテナ２３４ａ〜２３４ｔを装備される場合があり、ＵＥ１２０は、Ｒ個のアンテナ２５２ａ〜２５２ｒを装備される場合があるが、ここにおいて、一般にＴ≧１およびＲ≧１である。
【００２４】
[0040]基地局１１０において、送信プロセッサ２２０が、１つまたは複数のＵＥについてデータソース２１２からデータを受信し、ＵＥから受信されたチャネル品質インジケータ（ＣＱＩ：channel quality indicator）に基づいて各ＵＥのための１つまたは複数の変調およびコーディング方式（ＭＣＳ：modulation and coding scheme）を選択し、そのＵＥのために選択された（１つまたは複数の）ＭＣＳに基づいて各ＵＥのためのデータを処理（たとえば、符号化および変調）し、すべてのＵＥについてデータシンボルを提供し得る。送信プロセッサ２２０はまた、（たとえば、準静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを提供し得る。プロセッサ２２０はまた、基準信号（たとえば、共通基準信号（ＣＲＳ））および同期信号（たとえば、１次同期信号（ＰＳＳ：primary synchronization signal：secondary synchronization signal）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、または基準シンボルに対して空間処理（たとえば、プリコーディング）を実行する場合があり、Ｔ個の出力シンボルストリームをＴ個の変調器（ＭＯＤ）２３２ａ〜２３２ｔに提供する場合がある。各変調器２３２は、出力サンプルストリームを取得するために（たとえば、ＯＦＤＭなどのための）それぞれの出力シンボルストリームを処理し得る。各変調器２３２はさらに、ダウンリンク信号を取得するために出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２５】
[0041]ＵＥ１２０において、アンテナ２５２ａ〜２５２ｒが、基地局１１０または他の基地局からダウンリンク信号を受信する場合があり、受信信号をそれぞれ復調器（ＤＥＭＯＤ）２５４ａ〜２５４ｒに提供する場合がある。各復調器２５４は、入力サンプルを取得するために、その受信信号を調整（たとえば、フィルタ処理、増幅、ダウンコンバート、およびデジタル化）し得る。各復調器２５４はさらに、受信シンボルを取得するために（たとえば、ＯＦＤＭなどのための）入力サンプルを処理し得る。ＭＩＭＯ検出器２５６は、Ｒ個すべての復調器２５４ａ〜２５４ｒから受信シンボルを取得し、適用可能な場合、受信シンボルに対してＭＩＭＯ検出を実行し、検出されたシンボルを提供し得る。受信プロセッサ２５８は、検出されたシンボルを処理（たとえば、復調および復号）し、ＵＥ１２０のための復号されたデータをデータシンク２６０に提供し、復号された制御信号およびシステム情報をコントローラ／プロセッサ２８０に提供し得る。チャネルプロセッサは、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、ＣＱＩなどを決定し得る。
【００２６】
[0042]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４は、１つまたは複数の基準信号のための基準シンボルを生成することもできる。送信プロセッサ２６４からのシンボルは、適用可能な場合、ＴＸ  ＭＩＭＯプロセッサ２６６によってプリコーディングされ、（たとえば、ＳＣ−ＦＤＭ、ＯＦＤＭなどのための）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合、ＭＩＭＯ検出器２３６によって検出され、ＵＥ１２０によって送られた復号済データおよび復号済制御情報を取得するために、受信プロセッサ２３８によってさらに処理され得る。プロセッサ２３８は、復号済データをデータシンク２３９に提供し、復号済制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００２７】
[0043]コントローラ／プロセッサ２４０および２８０は、それぞれ基地局１１０およびＵＥ１２０における動作を指示し得る。基地局１１０におけるコントローラ／プロセッサ２４０もしくは他のコントローラ／プロセッサおよびモジュール、またはＵＥ１２０におけるコントローラ／プロセッサ２８０もしくは他のコントローラ／プロセッサおよびモジュールは、本明細書で説明する技法のためのプロセスを実行または指示し得る。メモリ２４２および２８２はそれぞれ、基地局１１０およびＵＥ１２０においてデータおよびプログラムコードを記憶することができる。スケジューラ２４６は、ダウンリンクまたはアップリンクにおけるデータ送信のためにＵＥをスケジューリングし得る。
【００２８】
[0044]ＵＥ１２０にデータを送信するとき、基地局１１０は、データ割振りサイズに少なくとも部分的に基づいてバンドルサイズを決定し、決定されたバンドルサイズのバンドルされた連続リソースブロック中のデータをプリコーディングするように構成される場合があり、ここにおいて、各バンドル中のリソースブロックは、共通プリコーディング行列を用いてプリコーディングされる場合がある。すなわち、リソースブロック中のＵＥ−ＲＳなどの基準信号（ＲＳ）またはデータは、同じプリコーダを使用してプリコーディングされ得る。バンドルＲＢの各リソースブロック（ＲＢ）中のＵＥ−ＲＳに使用される電力レベルも同じであり得る。
【００２９】
[0045]ＵＥ１２０は、基地局１１０から送信されたデータを復号するために、相補的処理を実行するように構成され得る。たとえば、ＵＥ１２０は、連続ＲＢのバンドル中の基地局から送信された受信データのデータ割振りサイズに基づいてバンドルサイズを決定することと、ここにおいて、各バンドル中のリソースブロック中の少なくとも１つの基準信号が共通プリコーディング行列を用いてプリコーディングされる、決定されたバンドルサイズと、基地局から送信された１つまたは複数のＲＳとに基づいて、少なくとも１つのプリコードチャネルを推定することと、推定されたプリコードチャネルを使用して、受信されたバンドルを復号することとを行うように構成され得る。
【００３０】
[0046]図３は、ＬＴＥにおけるＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有する場合があり、０〜９のインデックスを有する１０個のサブフレームに区分される場合がある。各サブフレームは、２つのスロットを含み得る。したがって、各無線フレームは、０〜１９のインデックスを有する２０個のスロットを含み得る。各スロットは、Ｌ個のシンボル期間、たとえば、ノーマルサイクリックプレフィックスでは７つのシンボル期間（図２に示す）、または拡張サイクリックプレフィックスでは６つのシンボル期間を含み得る。各サブフレーム中の２Ｌ個のシンボル期間は、０〜２Ｌ−１のインデックスを割り当てられ得る。
【００３１】
[0047]ＬＴＥでは、ｅＮＢは、ｅＮＢによってサポートされるセルごとにシステム帯域幅の中心１．０８ＭＨｚにおいてダウンリンク上で１次同期信号（ＰＳＳ：primary synchronization signal）と２次同期信号（ＳＳＳ：secondary synchronization signal）とを送信し得る。図３に示すように、ＰＳＳおよびＳＳＳは、それぞれ、ノーマルサイクリックプレフィックスを有する各無線フレームのサブフレーム０および５の中のシンボル期間６および５において送信され得る。ＰＳＳおよびＳＳＳは、セル探索および捕捉のためにＵＥによって使用され得る。ｅＮＢは、ｅＮＢによってサポートされるセルごとにシステム帯域幅全体でセル固有の基準信号（ＣＲＳ：cell-specific reference signal）を送信し得る。ＣＲＳは、各サブフレームのいくつかのシンボル期間において送信される場合があり、チャネル推定、チャネル品質測定、または他の機能を実行するためにＵＥによって使用される場合がある。ｅＮＢは、いくつかの無線フレームのスロット１中の０〜３のシンボル期間において物理ブロードキャストチャネル（ＰＢＣＨ）を送信する場合もある。ＰＢＣＨは、何らかのシステム情報を搬送する場合がある。ｅＮＢは、いくつかのサブフレームにおいて物理ダウンリンク共有チャネル（ＰＤＳＣＨ）上でシステム情報ブロック（ＳＩＢ）などの他のシステム情報を送信し得る。ｅＮＢは、サブフレームの第１のＢ個のシンボル期間において物理ダウンリンク制御チャネル（ＰＤＣＣＨ：physical downlink control channel）上で制御情報／データを送信し得るが、ここにおいて、Ｂは各サブフレームに関して構成可能であり得る。ｅＮＢは、各サブフレームの残りのシンボル期間においてＰＤＳＣＨ上でトラフィックデータまたは他のデータを送信し得る。
【００３２】
[0048]ＬＴＥにおけるＰＳＳ、ＳＳＳ、ＣＲＳ、およびＰＢＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００３３】
[0049]図４は、ノーマルサイクリックプレフィックスを有する、ダウンリンクのための２つの例示的なサブフレームフォーマット４１０および４２０を示す。ダウンリンクのための利用可能な時間周波数リソースは、リソースブロックに区分され得る。各リソースブロックは、１つのスロット中で１２個のサブキャリアをカバーする場合があり、いくつかのリソース要素を含む場合がある。各リソース要素は、１つのシンボル期間内に１つのサブキャリアをカバーする場合があり、実数値または複素数値であり得る１つの変調シンボルを送るために使用される場合がある。
【００３４】
[0050]サブフレームフォーマット４１０は、２つのアンテナを装備されたｅＮＢに使用され得る。ＣＲＳは、シンボル期間０、４、７、および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成された、セルに固有の基準信号である。図４では、ラベルＲａを有する所与のリソース要素に関して、アンテナａからはそのリソース要素上で変調シンボルが送信される場合があり、他のアンテナからはそのリソース要素上で変調シンボルが送信されない場合がある。サブフレームフォーマット４２０は、４つのアンテナを装備されたｅＮＢに使用され得る。ＣＲＳは、シンボル期間０、４、７および１１中にアンテナ０および１から送信される場合があり、シンボル期間１および８中にアンテナ２および３から送信される場合がある。サブフレームフォーマット４１０と４２０の両方に関して、ＣＲＳは、セルＩＤに基づいて決定され得る、均等に離間したサブキャリア上で送信され得る。様々なｅＮＢが、それらのセルＩＤに応じて、同じまたは異なるサブキャリアでそれらのＣＲＳを送信し得る。サブフレームフォーマット４１０と４２０の両方に関して、ＣＲＳに使用されないリソース要素は、データ（たとえば、トラフィックデータ、制御データ、または他のデータ）を送信するために使用され得る。
【００３５】
[0051]ＬＴＥにおけるＦＤＤのダウンリンクおよびアップリンクの各々に、インターレース構造が使用され得る。たとえば、０〜Ｑ−１のインデックスを有するＱ個のインターレースが定義される場合があり、ここにおいて、Ｑは、４、６、８、１０、または何らかの他の値に等しいものとすることができる。各インターレースは、Ｑ個のフレームだけ離間したサブフレームを含み得る。具体的には、インターレースｑは、サブフレームｑ、ｑ＋Ｑ、ｑ＋２Ｑなどを含む場合があり、ここにおいて、ｑ∈｛０，．．．，Ｑ−１｝である。
【００３６】
[0052]ワイヤレスネットワークは、ダウンリンクおよびアップリンクにおけるデータ送信のためのハイブリッド自動再送信要求（ＨＡＲＱ）をサポートし得る。ＨＡＲＱの場合、送信機（たとえば、ｅＮＢ１１０）は、パケットが受信機（たとえば、ＵＥ１２０）によって正しく復号されるまで、または何らかの他の終了条件に遭遇するまで、そのパケットの１つまたは複数の送信を送り得る。同期ＨＡＲＱの場合、パケットのすべての送信は、単一インターレースの複数のサブフレームにおいて送られる場合がある。非同期ＨＡＲＱの場合、パケットの各送信は、任意のサブフレームにおいて送られる場合がある。
【００３７】
[0053]ＵＥは、複数のｅＮＢのカバレージ内に位置し得る。そのＵＥにサービスするために、これらのｅＮＢのうちの１つが選択され得る。サービングｅＮＢは、受信信号強度、受信信号品質、経路損失などの様々な基準に基づいて選択され得る。受信信号品質は、信号対干渉プラス雑音比（ＳＩＮＲ：signal-to-interference-plus-noise ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
カバレージ拡張を含む例示的なＰＢＣＨ設計
[0054]いくつかのシステム（たとえば、ロングタームエボリューション（ＬＴＥ）リリース８またはより最近のリリース）では、送信時間間隔（ＴＴＩ：transmission time interval）バンドル（たとえば、サブフレームバンドル）は、ユーザ機器（ＵＥ）ごとのベースで構成され得る。ＴＴＩバンドルは、上位レイヤから提供されたパラメータ、ｔｔｉＢｕｎｄｌｉｎｇによって構成され得る。ＴＴＩバンドルがＵＥに関して構成される場合、サブフレームバンドル動作は、アップリンク共有チャネル（ＵＬ−ＳＣＨ：uplink shared channel）、たとえば物理アップリンク共有チャネル（ＰＵＳＣＨ：physical uplink shared channel）にのみ適用される場合があり、他のアップリンク信号またはトラフィック（たとえば、アップリンク制御情報（ＵＣＩ：uplink control information）など）には適用されない場合がある。いくつかの場合、４つのサブフレームにおいて、ＴＴＩバンドルサイズが固定される（たとえば、４つの連続したサブフレームにおいて、ＰＵＳＣＨが送信される）。バンドルされたサブフレームの各々において、同じハイブリッド自動再送要求（ＨＡＲＱ）プロセス数が使用され得る。リソース割振りサイズは、３つのリソースブロック（ＲＢ）までに制限される場合があり、変調次数は、２（たとえば、直角位相シフトキーイング（ＱＰＳＫ））に設定される場合がある。ＴＴＩバンドルは、各バンドルに単一の許可および単一のＨＡＲＱ確認応答（ＡＣＫ）が使用される、単一のリソースとして取り扱われる場合がある。
【００３８】
[0055]いくつかのシステム（たとえば、ＬＴＥリリース１２）では、様々なシナリオにおいて、（たとえば、物理ブロードキャストチャネル（ＰＢＣＨ）の）カバレージ拡張が望ましい場合がある。たとえば、カバレージ拡張は、マシンタイプ通信（ＭＴＣ）デバイス、または深いカバレージホール（たとえば、地階、または谷）内のデバイスにサービスを提供するために望ましい場合がある。カバレージ拡張は、増加された帯域幅の通信のための比較的高い周波数（たとえば、高いマイクロ波周波数または高いミリメートル波周波数）の展開において望ましい場合がある。カバレージ拡張はさらに、低データレートユーザ、遅延に寛容なユーザ、ボイスオーバーインターネットプロトコル（ＶｏＩＰ）、および中間データレートユーザなどには望まれる場合がある。
【００３９】
[0056]典型的には、ＰＢＣＨは、１０ｍｓごとに１つのバーストを含んで４０ｍｓごとに送信される。いくつかの態様によれば、ＰＢＣＨカバレージ拡張では、ｅノードＢ（ｅＮＢ）は、ＰＢＣＨの反復またはバンドルを実行し得る。いくつかの態様によれば、ＰＢＣＨカバレージ拡張では、ｅＮＢは、ＵＥへの送信のための送信電力を上昇させ得る。いくつかの態様によれば、ＰＢＣＨカバレージ拡張では、ｅＮＢは、ＰＢＣＨのペイロードサイズを低減し得る。
ＰＢＣＨの電力上昇
[0057]上述のように、いくつかの態様によれば、ＰＢＣＨは、カバレージを拡張するために電力上昇される（増加された電力で送信される）場合がある。電力の増加は、様々な方法において生成され得る。たとえば、ｅＮＢは、いくつかのヌルトーンを再割り振りし、ＰＢＣＨ送信電力を増加させるためにヌルトーン上で送信するのに使用されてきた電力を使用する場合がある。別の例では、他の周波数位置からの１つまたは複数のトーンにわたって電力スペクトル密度（ＰＳＤ）が低減される場合があり、電力低減された各トーンからの電力低減量が、ＰＢＣＨ送信電力を増加させるために割り振られる場合がある。
【００４０】
[0058]いくつかの態様によれば、ｅＮＢは、ＵＥに電力上昇をシグナリングする場合がある。物理ダウンリンク共有チャネル（ＰＤＳＣＨ）上の２つの電力割振りパラメータは、ＰａおよびＰｂとして記録され得る。Ｐａの範囲は｛−６，−４．７７，−３，−１．７７，０，１，２，３｝ｄＢである場合があり、Ｐｂの範囲は｛０，１，２，３｝である場合がある。ＰａおよびＰｂは、（たとえば、情報要素において）無線リソース制御（ＲＲＣ）シグナリングによって制御される場合があり、ＵＥは、ＰａおよびＰｂに基づいてＰＤＳＣＨ電力を計算する場合がある。
【００４１】
[0059]いくつかの態様によれば、広帯域幅で送信するｅＮＢでは、ｅＮＢは、４つのＰＢＣＨ送信シンボル中のあるＰＢＣＨの電力を上昇させ、他のＰＤＳＣＨトーンに関する残りの電力を低減する場合がある。たとえば、ｅＮＢは、ＰＢＣＨが他の周波数トーンにおけるＰＤＳＣＨ送信信号に対して送信される、４つのシンボルの各々に関する電力調整をシグナリングする場合がある。あるいは、ｅＮＢは、ＰＢＣＨが送信される、これら４つのシンボルにおいていくつかのヌルトーンを送信する場合があり、ヌルトーンの周りでレートマッチングするためにＵＥにシグナリングする場合もある。
【００４２】
[0060]ＰＢＣＨが電力上昇されるとき、ＣＲＳを有する、または有しないシンボルに関して現在規定されたＰａおよびＰｂと同様にＰＢＣＨに再割り振りされた電力量をシグナリングするために新規のＰａ’およびＰｂ’のパラメータを導入し得る。いくつかの態様によれば、電力上昇は、２次同期信号（ＳＳＳ）および１次同期信号（ＰＳＳ）に適用する場合もあり、ｅＮＢは、ＰａおよびＰｂとそれぞれ同様である場合もある、送信電力割振りパラメータＰａ”およびＰｂ”を使用してＵＥに電力調整をシグナリングし得る。ＰＳＳまたはＳＳＳが電力上昇される場合、電力スケーリングパラメータＰｂ”は、ＰＳＳまたはＳＳＳが電力上昇されることをシグナリングするために導入され得る。いくつかの場合には、Ｐａ’、Ｐａ”、Ｐｂ’、Ｐｂ”のうちのいくつかのサブセットは、同じである場合があり、同じまたは異なるパラメータは、ヌルトーンにおいて再使用される場合がある。いくつかの態様では、ＰＳＳまたはＳＳＳが電力上昇される場合、ＰＳＳおよびＳＳＳが共通基準信号（ＣＲＳ）を含まないとき、パラメータＰａ’は省略される場合がある。
ＰＢＣＨ時間領域反復
[0061]上述のように、ＰＢＣＨは、カバレージを拡張するために反復され得る。いくつかの態様によれば、（たとえば、バンドルされた）ＰＢＣＨは、時間領域において反復され得る。たとえば、ＰＢＣＨは、無線フレーム内の複数のサブフレームにおいて送信され得る。たとえば、送信帯域幅が１．４ＭＨｚよりも大きい場合、ＰＢＣＨは、サブフレーム０（図３に示すＰＢＣＨ送信の典型的な位置）において送信され、サブフレーム５において反復され得る。したがって、ＰＢＣＨは、２倍のカバレージを達成し得る。いくつかの態様によれば、システム情報ブロック１（ＳＩＢ１）は、中心の６つのリソースブロック（ＲＢ）の外部で送信され得る。しかしながら、帯域幅が１．４ＭＨｚである場合、ＰＢＣＨは、すべての無線フレーム中のサブフレーム０において、および、偶数の無線フレームに関するサブフレーム５がＳＩＢ１送信に使用されるときは、奇数の無線フレームのみにおけるサブフレーム５において、反復され得る。
【００４３】
[0062]別の例では、ＰＢＣＨは、サブフレーム０において送信され、別のサブフレームにおいて反復され得る。たとえば、ＰＢＣＨは、サブフレーム０において送信されたＰＢＣＨに隣接するようにサブフレーム１または９において反復され得る。ＰＢＣＨは、サブフレーム５において送信されたＰＢＣＨに隣接するようにサブフレーム４または６において送信され得る。サブフレーム０、サブフレーム５、またはサブフレーム０と５の両方に隣接する１つまたは複数のフレームにおいてＰＢＣＨを送信することは、ＵＥがサブフレーム０および５中のＰＳＳ／ＳＳＳ検出を実行するとき、ＵＥ起動時間または測定ギャップを低減する場合がある。
【００４４】
[0063]いくつかの態様によれば、ＰＢＣＨは、同じサブフレーム内で反復され得る。たとえば、４つのシンボルにおいてＰＢＣＨが送信されるので、サブフレームが少なくとも４つの余剰シンボルを有する場合、ＰＢＣＨの２つのコピーが送られる場合がある。
【００４５】
[0064]いくつかの態様によれば、ＰＢＣＨは、無線フレーム内の異なるサブフレームにおいて反復される場合があり、サブフレーム内で複数回反復される場合もある。
ＰＢＣＨ周波数領域反復
[0065]いくつかの態様によれば、ＰＢＣＨは、拡張されたカバレージを達成するために周波数領域において反復され得る。典型的には、ＰＢＣＨは、（たとえば、図３に示すように）各無線フレームのサブフレーム０中の４つの連続したＯＦＤＭシンボルの中心の６ＲＢにおいて送信される。様々な周波数においてＰＢＣＨを反復することを可能にする広帯域幅（たとえば、６ＲＢよりも大きい）上でシステムが動作している場合、周波数領域反復が実行され得る。いくつかの態様によれば、ＰＢＣＨは、最大ダイバーシティを達成するために帯域のエッジにおいて送信（反復）される場合がある。
【００４６】
[0066]いくつかの態様によれば、ＵＥは、ＰＢＣＨを復号する前には、帯域幅を知らない場合がある。いくつかの態様によれば、ＰＢＣＨは、同じ周波数位置において常に反復される可能性がある。たとえば、ＰＢＣＨは、固定位置において（たとえば、実際の送信帯域幅に関係なく５ＭＨｚのエッジにおいて）常に反復される場合がある。いくつかの態様によれば、ＰＢＣＨは、ダウンリンク帯域幅の帯域エッジにおいて常に反復される場合があり、受信側ＵＥは、実際の帯域幅を決定するためにＰＢＣＨのブラインド復号を実行する場合がある。
【００４７】
[0067]いくつかの態様によれば、ＰＢＣＨは、時間領域と周波数領域の両方において反復され得る（たとえば、２Ｄ反復）。
【００４８】
[0068]いくつかの態様によれば、ＰＢＣＨの拡張されたカバレージでは、カバレージ拡張が常に利用可能となるように、電力上昇によって、時間領域反復または周波数領域反復のいずれも、すべての無線フレーム中の拡張されたＰＢＣＨの送信を含む場合がある。あるいは、ＰＢＣＨカバレージ拡張は、そのようなカバレージ拡張が必要であるか、または望まれる、いくつかの無線フレームにおいてのみ送信され得る。
レートマッチング
[0069]いくつかの態様によれば、ｅＮＢは、拡張されたＰＢＣＨの周りでＰＤＳＣＨレートマッチングを可能にするためにＰＢＣＨカバレージ拡張をＵＥに知らせる場合がある。ＰＢＣＨの時間領域反復によって拡張されたカバレージを有するＰＢＣＨでは、ｅＮＢは、サブフレーム内でまたはサブフレームにわたってＰＢＣＨの反復パターンをＵＥに知らせる場合がある。ヌルトーンによる電力上昇を有するＰＢＣＨでは、ｅＮＢは、電力上昇レベルとヌルトーンの割振りとをＵＥに知らせる場合がある。いくつかの態様によれば、残りのトーンが、ＰＤＳＣＨに割り当てられる場合がある。レートマッチングは、拡張されたＰＢＣＨが割り振られる、ＲＢ全体の周りで実行され得る。あるいは、レートマッチングは、拡張されたＰＢＣＨリソース要素（ＲＥ）の周りで実行され得る。
【００４９】
[0070]いくつかの態様によれば、ＰＢＣＨカバレージ拡張モードでｅＮＢが動作していることをＵＥにシグナリングするためにｅＮＢには、様々なシグナリングオプションが使用され得る。たとえば、ｅＮＢは、ＰＢＣＨレートマッチング情報を有するＳＩＢをブロードキャストし得る。代替的に、ｅＮＢは、ＰＢＣＨレートマッチング情報のＲＲＣシグナリングを使用し得る。さらに別の代替として、ｅＮＢは、ＰＢＣＨレートマッチング情報をシグナリングするために準コロケーションおよびＰＤＳＣＨレートマッチングシグナリング機構を再使用する場合がある。いくつかの態様によれば、ＰＳＳまたはＳＳＳが電力上昇される場合、同様のレートマッチング動作およびシグナリングが、ヌルトーンの周りで使用され得る。
【００５０】
[0071]いくつかの態様によれば、ｅＮＢは、カバレージ拡張を有するＰＢＣＨに関してバンドルされたブロードキャスト送信を機会主義的に実行し得る。たとえば、ＵＥは、バンドルされたランダムアクセスチャネル（ＲＡＣＨ）送信をｅＮＢに送信することによって、ＰＢＣＨカバレージ拡張が望まれることをｅＮＢにシグナリングし得る。いくつかの態様によれば、ｅＮＢからのバンドルされたブロードキャスト送信は、ＳＩＢのサブセット（たとえば、ＳＩＢ２およびそれ以降）のみ、すべてのＳＩＢ、またはＰＢＣＨとＳＩＢの両方を含み得る。いくつかの態様によれば、バンドルされたブロードキャストがＳＩＢのサブセットを含み、ＰＢＣＨおよびＳＩＢ１が常にバンドルされ、ｅＮＢが、ＵＥからバンドルされたＲＡＣＨを受信すると、ＳＩＢサブセットバンドルを有効にし得る場合、ＵＥは、ＳＩＢ１からバンドルされたＲＡＣＨの構成を得ることができる。いくつかの態様によれば、ｅＮＢがＵＥにバンドルされたブロードキャスト送信を送った後、ｅＮＢは、他のＵＥにサービスするために（たとえば、ＳＩＢ２およびそれ以降に関して）バンドルをオフにする場合がある。
【００５１】
[0072]いくつかの態様によれば、バンドルされたブロードキャスト送信はすべてのＳＩＢを含み、バンドルされたＰＲＡＣＨ構成を示すために、簡略化されたバンドルＳＩＢが使用され得る。いくつかの態様によれば、ｅＮＢは、バンドルされたＲＡＣＨの検出後、バンドルＳＩＢのブロードキャストを開始し得る。いくつかの態様によれば、ＵＥは、適宜、少なくとも既定のＲＡＣＨシーケンスと、ＰＳＳ／ＳＳＳに対する開始位置と、他のパラメータとを含む、事前設定されたＲＡＣＨを送る場合がある。
【００５２】
[0073]図５は、本開示のいくつかの態様による、ワイヤレス通信のための例示的な動作５００を示す。動作は、たとえば、基地局（たとえば、ｅＮＢ１１０）によって実行され得る。動作５００は、５０２において、物理ダウンリンク共有チャネル（ＰＤＳＣＨ）を送信する際に使用するための１つまたは複数の電力割振りパラメータの第１の組を取得することによって開始し得る。
【００５３】
[0074]５０４では、基地局は、１つまたは複数の電力割振りパラメータの第２の組に基づいて、（たとえば、電力割振りパラメータの第１の組を使用して送られた）ＰＤＳＣＨ送信と比較して上昇した送信電力で異なるタイプのダウンリンク送信（たとえば、ＰＢＣＨ、ＰＳＳ、ＳＳＳ）を送信し得る。いくつかの態様によれば、ＢＳは、上昇した送信電力で異なるタイプのダウンリンク送信を送信することを補償するために調整された電力でＰＤＳＣＨを送信し得る。いくつかの態様によれば、基地局は、ＵＥに電力割振りパラメータの第２の組に関する情報をシグナリングし得る。たとえば、１つまたは複数の電力割振りパラメータの第２の組は、ＰＢＣＨシンボル用の少なくとも１つの電力割振りパラメータと、非ＰＢＣＨシンボル用の少なくとも１つの電力割振りパラメータとを含み得る。異なるタイプのダウンリンク送信を送信することは、いくつかの周波数トーン上でヌルトーンを送信しながら、ＰＢＣＨシンボルの電力を上昇させることを含み得る。
【００５４】
[0075]いくつかの態様によれば、基地局は、ＳＩＢ、ＲＲＣシグナリング、新規のＰＢＣＨレートマッチング情報、または準コロケーションシグナリングの再使用のうちの少なくとも１つを介してヌルトーンを有するＰＢＣＨ送信のためのレートマッチング情報をシグナリングし得る。ＰＢＣＨを送信することは、残りのＰＤＳＣＨシンボルに関する送信電力を低減しながら、ＰＢＣＨシンボルの電力を上昇させることを含み得る。
【００５５】
[0076]いくつかの態様では、ＢＳは、残りのＰＤＳＣＨシンボルの電力調整に関する情報をシグナリングする場合もある。
【００５６】
[0077]図６は、本開示のいくつかの態様による、ワイヤレス通信のための例示的な動作６００を示す。動作６００は、たとえば、ＵＥ（たとえば、ＵＥ１２０）によって実行され得る。動作６００は、６０２において、ＰＤＳＣＨ送信を受信することによって開始し得る。
【００５７】
[0078]６０４では、ＵＥは、ＰＤＳＣＨ送信と比較して上昇した送信電力を有する、異なるタイプのダウンリンク送信を受信し得る。たとえば、ＵＥは、１つまたは複数の電力割振りパラメータの第２の組（たとえば、ＰＢＣＨシンボル用の少なくとも１つの電力割振りパラメータ、および非ＰＢＣＨシンボル用の少なくとも１つの電力割振りパラメータ）に基づいて上昇した送信電力を有するＰＢＣＨを受信し得る。別の例では、ＵＥは、少なくとも１つの同期信号を受信し得る。
【００５８】
[0079]６０６では、ＵＥは、異なるタイプのダウンリンク送信の送信電力に基づいて共通基準信号（ＣＲＳ）に対するＰＤＳＣＨ送信の相対送信電力に関する情報を受信し得る。たとえば、ＵＥは、ヌルトーンの電力調整に関するシグナリングを受信し得る。別の例では、ＵＥは、ＰＢＣＨには使用されないＰＤＳＣＨシンボルの電力調整に関するシグナリングを受信し得る。
【００５９】
[0080]いくつかの態様によれば、ＵＥは、ＳＩＢ、ＲＲＣシグナリング、新規のＰＢＣＨレートマッチング情報、または準コロケーションシグナリングの再使用のうちの少なくとも１つを介してＰＢＣＨ送信のためのレートマッチング情報を受信する場合もある。
【００６０】
[0081]６０８では、ＵＥは、６０６において受信された情報に基づいてＰＤＳＣＨ送信を処理し得る。
【００６１】
[0082]図７は、本開示のいくつかの態様による、ワイヤレス通信のための例示的な動作７００を示す。動作は、たとえば、基地局（たとえば、ｅＮＢ１１０）によって実行され得る。動作７００は、７０２において、無線フレームの少なくとも１つのサブフレーム中のＰＢＣＨを送信することによって開始し得る。
【００６２】
[0083]７０４では、基地局は、（たとえば、第１のＰＢＣＨとは異なるシンボルまたは異なる周波数を使用して）無線フレームの同じサブフレーム、または異なるサブフレームのうちの少なくとも１つにおいてＰＢＣＨの送信を反復する。いくつかの態様によれば、ＰＢＣＨ送信は、いくつかの動作帯域幅によってのみ反復され得る。いくつかの態様によれば、ＰＢＣＨ送信は、各送信における同じバージョンおよびペイロードで反復され得る。いくつかの態様によれば、ＰＢＣＨ送信は、いくつかの無線フレームにおいてのみ反復され得る。いくつかの態様によれば、反復されたＰＢＣＨ送信は、ＵＥからバンドルされたＲＡＣＨ送信を受信することによってトリガされ得る。
【００６３】
[0084]いくつかの態様によれば、ｅＮＢは、ＳＩＢ、ＲＲＣシグナリング、新規のＰＢＣＨレートマッチング情報、または準コロケーションシグナリングの再使用のうちの少なくとも１つを介して反復されるＰＢＣＨ送信のためのレートマッチング情報をシグナリングする場合がある。
【００６４】
[0085]図８は、本開示のいくつかの態様による、ワイヤレス通信のための例示的な動作８００を示す。動作８００は、たとえば、ＵＥ（たとえば、ＵＥ１２０）によって実行され得る。動作８００は、８０２において、無線フレーム中の反復されるＰＢＣＨ送信のためのレートマッチング情報を（たとえば、ＳＩＢ、ＲＲＣシグナリング、新規のＰＢＣＨレートマッチング情報、または準コロケーションシグナリングの再使用を介して）受信することによって開始し得る。いくつかの態様によれば、反復されるＰＢＣＨ送信は、無線フレームの同じサブフレームまたは異なるサブフレームのうちの少なくとも１つにおいて反復され得る。
【００６５】
[0086]８０４では、ＵＥは、レートマッチング情報に基づいて無線フレーム中のダウンリンク送信を処理し得る。
【００６６】
[0087]図９は、本開示のいくつかの態様による、ワイヤレス通信のための例示的な動作９００を示す。動作は、たとえば、基地局（たとえば、ｅＮＢ１１０）によって実行され得る。動作９００は、９０２において、ＵＥからバンドルされたＲＡＣＨ送信を受信することによって開始し得る。
【００６７】
[0088]９０４では、基地局は、バンドルされたＲＡＣＨ送信を受信することに応答してブロードキャスト情報（たとえば、ＳＩＢ、利用可能なＳＩＢのサブセット、ＰＢＣＨなど、またはそれらの組合せ）のバンドルされた送信をトリガし得る。
【００６８】
[0089]いくつかの態様によれば、基地局は、バンドルされたＲＡＣＨを検出する前にバンドルされたＰＲＡＣＨ構成を示すＳＩＢのバンドルされた送信を送信し得る。
【００６９】
[0090]図１０は、本開示のいくつかの態様による、ワイヤレス通信のための例示的な動作１０００を示す。動作１０００は、たとえば、ＵＥ（たとえば、ＵＥ１２０）によって実行され得る。動作１０００は、１００２において、バンドルされたＰＲＡＣＨ構成を示すＳＩＢのバンドルされた送信を受信することによって開始し得る。
【００７０】
[0091]１００４では、ＵＥは、ブロードキャスト情報（たとえば、ＳＩＢ、利用可能なＳＩＢのサブセット、ＰＢＣＨなど、またはそれらの組合せ）のバンドルされた送信をトリガするためにＰＲＡＣＨ構成に従ってバンドルされたＲＡＣＨ送信を実行し得る。
【００７１】
[0092]いくつかの態様によれば、上記の技法および装置は、マシンタイプ通信（ＭＴＣ）に適用され得る。いくつかの態様によれば、上記の技法および装置は、ＬＴＥ無認可スペクトル（ＬＴＥ−Ｕ：LTE（登録商標） unlicensed spectrum）において適用され得る。たとえば、送信が広帯域幅を超える場合、ブロードキャスト送信（たとえば、ＰＢＣＨまたは同期信号）は、周波数領域において（たとえば、中心の６つのリソースブロック（ＲＢ）の外部で）反復され得る。いくつかの態様によれば、上記の技法および装置は、高次元多入力多出力（ＭＩＭＯ）において適用され得る。たとえば、ビームフォーミングゲインのためのアンテナアレイがＰＢＣＨに適用できない可能性がある場合、代わりにＰＢＣＨが反復されるか、またはゲインを上昇され得る。いくつかの態様によれば、上記の技法および装置は、ミニマムアレイに適用され得る。たとえば、６０ＧＨｚにおいて、伝搬損失が大きい場合があり、したがって、リンクバジェット拡張が望まれる場合がある。ＰＢＣＨは、リンクバジェット拡張を達成するために上述したように反復または上昇され得る。
【００７２】
[0093]本明細書で使用する「決定すること」という用語は、多種多様なアクションを包含する。たとえば、「決定すること」は、計算すること、算出すること、処理すること、導出すること、調査すること、探索すること（たとえば、テーブル、データベースまたは別のデータ構造で探索すること）、確認することなどを含み得る。また、「決定すること」は、受け取ること（たとえば、情報を受け取ること）、アクセスすること（たとえば、メモリ内のデータにアクセスすること）などを含み得る。さらに、「決定すること」は、解決すること、選択すること、選ぶこと、確立することなどを含み得る。
【００７３】
[0094]上述した方法の様々な動作は、対応する機能を実施することができる任意の好適な手段によって実施され得る。手段は、限定はしないが、回路、特定用途向け集積回路（ＡＳＩＣ）、またはプロセッサを含む、様々なハードウェアまたはソフトウェア構成要素もしくはモジュールを含み得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。概して、図に示した動作がある場合、それらの動作は、同様の番号を有する対応するカウンターパートのミーンズプラスファンクション構成要素を有し得る。たとえば、図５〜図１０に示す動作５０２〜１００２は、それぞれ、図５Ａ〜図１０Ａに示す手段５０２Ａ〜１００２Ａにそれぞれ対応する。
【００７４】
[0095]たとえば、この構成により、送信するための手段は、ＵＥ１２０の送信機もしくはアンテナ２５２、またはｅＮＢ１１０の送信機もしくはアンテナ２３４を備え得る。受信するための手段は、ＵＥ１２０の受信機もしくはアンテナ２５２、またはｅＮＢ１１０の受信機もしくはアンテナ２３４を備え得る。決定するための手段は、図２に示したＵＥ１２０およびｅＮＢ１１０のコントローラ／プロセッサのうちのいずれかなどの、１つまたは複数のコントローラ／プロセッサを含み得る、処理システムを備え得る。
【００７５】
[0096]いくつかの態様によれば、そのような手段は、様々なアルゴリズムを実装することによって（たとえば、ハードウェアにおいて、またはソフトウェア命令を実行することによって）、対応する機能を実行するように構成された処理システムによって実装され得る。たとえば、アルゴリズムは、ＰＤＳＣＨを送信する際に使用するための１つまたは複数の電力割振りパラメータの第１の組を取得するためのアルゴリズムと、１つまたは複数の電力割振りパラメータの第２の組に基づいて、電力割振りパラメータの第１の組を使用して送られたＰＤＳＣＨ送信と比較して上昇した送信電力で異なるタイプのダウンリンク送信を送信するためのアルゴリズムとを含む。いくつかの態様では、アルゴリズムは、ＰＤＳＣＨ送信を受信するためのアルゴリズムと、ＰＤＳＣＨ送信と比較して上昇した送信電力を有する異なるタイプのダウンリンク送信を受信するためのアルゴリズムと、異なるタイプのダウンリンク送信の送信電力に基づいて共通基準信号（ＣＲＳ）に対するＰＤＳＣＨ送信の相対送信電力に関する情報を受信するためのアルゴリズムと、その情報に基づいてＰＤＳＣＨ送信を処理するためのアルゴリズムとを含む。いくつかの態様では、アルゴリズムは、無線フレームの少なくとも１つのサブフレーム中のＰＢＣＨを送信するためのアルゴリズムと、無線フレームの同じサブフレームまたは異なるサブフレームのうちの少なくとも１つの中のＰＢＣＨの送信を反復するためのアルゴリズムとを含む。いくつかの態様では、アルゴリズムは、無線フレーム中の反復されたＰＢＣＨ送信のためのレートマッチング情報を受信するためのアルゴリズムと、レートマッチング情報に基づいて無線フレーム中のダウンリンク送信を処理するためのアルゴリズムとを含む。いくつかの態様では、アルゴリズムは、ＵＥからバンドルされたＲＡＣＨ送信を受信するためのアルゴリズムと、バンドルされたＲＡＣＨ送信を受信することに応答してブロードキャスト情報のバンドルされた送信をトリガするためのアルゴリズムとを含む。いくつかの態様では、アルゴリズムは、バンドルされたＰＲＡＣＨ構成を示すＳＩＢのバンドルされた送信を受信するためのアルゴリズムと、ブロードキャスト情報のバンドルされた送信をトリガするためにＰＲＡＣＨ構成に従ってバンドルされたＲＡＣＨ送信を実行するためのアルゴリズムとを含む。
【００７６】
[0097]様々なアルゴリズムは、コンピュータ可読媒体、たとえば非一時的コンピュータ可読媒体によって実装され得る。コンピュータ可読媒体は、その上に記憶されたコンピュータ実行可能命令（たとえば、コード）を有し得る。たとえば、これらの命令は、図２に示したＵＥ１２０またはｅＮＢ１１０のプロセッサのうちのいずれかなどの、プロセッサまたは処理システムによって実行され、ＵＥ１２０のメモリ２８２、またはｅＮＢ１１０のメモリ２４２などのメモリ内に記憶され得る。たとえば、コンピュータ可読媒体は、ＰＤＳＣＨを送信する際に使用するための１つまたは複数の電力割振りパラメータの第１の組を取得するためのその上に記憶されたコンピュータ実行可能命令と、１つまたは複数の電力割振りパラメータの第２の組に基づいて、電力割振りパラメータの第１の組を使用して送られたＰＤＳＣＨ送信と比較して上昇した送信電力で異なるタイプのダウンリンク送信を送信するための命令とを有し得る。いくつかの態様では、コンピュータ可読媒体は、ＰＤＳＣＨ送信を受信するためのその上に記憶されたコンピュータ実行可能命令と、ＰＤＳＣＨ送信と比較して上昇した送信電力を有する異なるタイプのダウンリンク送信を受信するための命令と、異なるタイプのダウンリンク送信の送信電力に基づいて共通基準信号（ＣＲＳ）に対するＰＤＳＣＨ送信の相対送信電力に関する情報を受信するための命令と、その情報に基づいてＰＤＳＣＨ送信を処理するための命令とを有し得る。いくつかの態様では、コンピュータ可読媒体は、無線フレームの少なくとも１つのサブフレーム中のＰＢＣＨを送信するためのその上に記憶されたコンピュータ実行可能命令と、無線フレームの同じサブフレームまたは異なるサブフレームのうちの少なくとも１つの中のＰＢＣＨの送信を反復するための命令とを有し得る。いくつかの態様では、コンピュータ可読媒体は、無線フレーム中の反復されたＰＢＣＨ送信のためのレートマッチング情報を受信するためのその上に記憶されたコンピュータ実行可能命令と、レートマッチング情報に基づいて無線フレーム中のダウンリンク送信を処理するための命令とを有し得る。いくつかの態様では、コンピュータ可読媒体は、ＵＥからバンドルされたＲＡＣＨ送信を受信するためのその上に記憶されたコンピュータ実行可能命令と、バンドルされたＲＡＣＨ送信を受信することに応答してブロードキャスト情報のバンドルされた送信をトリガするための命令とを有し得る。いくつかの態様では、コンピュータ可読媒体は、バンドルされたＰＲＡＣＨ構成を示すＳＩＢのバンドルされた送信を受信するためのその上に記憶されたコンピュータ実行可能命令と、ブロードキャスト情報のバンドルされた送信をトリガするためにＰＲＡＣＨ構成に従ってバンドルされたＲＡＣＨ送信を実行するための命令とを有し得る。
【００７７】
[0098]「または」という用語は、排他的な「または」ではなく、包括的な「または」を意味するものとする。すなわち、別段に規定されていない限り、または文脈から明らかでない限り、「ＸはＡまたはＢを採用する」という語句は、自然包括的並べ替えのいずれかを意味するものとする。すなわち、「ＸはＡまたはＢを使用する」という語句は、以下の場合、すなわち、ＸがＡを使用する場合、ＸがＢを使用する場合、またはＸがＡとＢの両方を使用する場合のうちのいずれかによって満足される。その上、本出願と添付の特許請求の範囲とで使用されるとき、冠詞「ａ」および「ａｎ」は、別段に規定されていない限り、または単数形を対象とすべきであると文脈から明らかでない限り、通常、「１つまたは複数」を意味すると解釈されるべきである。項目のリスト「のうちの少なくとも１つ」を指す語句は、個々のメンバーおよび重複したメンバーを含む、それらの項目の任意の組合せを指す。一例として、「ａ、ｂ、またはｃのうちの少なくとも１つ」は、たとえば、ａ、ｂ、ｃ、ａ−ｂ、ａ−ｃ、ｂ−ｃ、ａ−ｂ−ｃ、ａａ、ａ−ｂｂ、ａ−ｂ−ｃｃなどをカバーするものとする。
【００７８】
[0099]本明細書での開示に関連して説明される方法またはアルゴリズムのステップは、ハードウェアで直接的に、プロセッサによって実行されるソフトウェアモジュールにおいて、またはその２つ組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、抵抗器、ハードディスク、取外し可能ディスク、ＣＤ−ＲＯＭ、または、当技術分野で知られている任意の他の形の記憶媒体内に存在し得る。例示的記憶媒体は、プロセッサが記憶媒体から情報を読み取り、または記憶媒体に情報を書き込むことができるようにプロセッサに結合される。代替で、その記憶媒体は、プロセッサと一体型でもよい。プロセッサおよび記憶媒体は、ＡＳＩＣ中に存在し得る。ＡＳＩＣは、ユーザ端末中に存在し得る。代替として、プロセッサおよび記憶媒体は、ユーザ端末中の個別構成要素として存在し得る。概して、図に示された動作がある場合、それらの動作は、同様の番号を有する対応するカウンターパートのミーンズプラスファンクション構成要素を有する。
【００７９】
[0100]１つまたは複数の例示的な設計では、説明した機能は、ハードウェア、ソフトウェア、またはそれらの組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。さらに、任意の接続がコンピュータ可読媒体と適切に呼ばれる。たとえば、ソフトウェアが、同軸ケーブル、光ファイバケーブル、撚線対、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、撚線対、ＤＳＬ、または赤外線、無線、およびマイクロ波などのワイヤレス技術が、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上述の組合せもコンピュータ可読媒体の範囲内に含まれるべきである。
【００８０】
[0101]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
【図１】
2019169957.tif 000003
【図２】
2019169957.tif 000004
【図３】
2019169957.tif 000005
【図４】
2019169957.tif 000006
【図５】
2019169957.tif 000007
【図５Ａ】
2019169957.tif 000008
【図６】
2019169957.tif 000009
【図６Ａ】
2019169957.tif 000010
【図７】
2019169957.tif 000011
【図７Ａ】
2019169957.tif 000012
【図８】
2019169957.tif 000013
【図８Ａ】
2019169957.tif 000014
【図９】
2019169957.tif 000015
【図９Ａ】
2019169957.tif 000016
【図１０】
2019169957.tif 000017
【図１０Ａ】
2019169957.tif 000018
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
物理ダウンリンク共有チャネル（ＰＤＳＣＨ）送信を受信することと、
前記ＰＤＳＣＨ送信と比較して上昇した送信電力を有する、異なるタイプのダウンリンク送信を受信することと、
前記異なるタイプのダウンリンク送信の前記送信電力に基づいて共通基準信号（ＣＲＳ）に対する前記ＰＤＳＣＨ送信の相対送信電力に関する情報を受信することと、
前記情報に基づいて前記ＰＤＳＣＨ送信を処理することと
を備える、方法。
【請求項２】
前記異なるタイプのダウンリンク送信が、物理ブロードキャストチャネル（ＰＢＣＨ）送信を備え、ここにおいて、
前記ＰＢＣＨ送信の送信電力が、１つまたは複数の電力割振りパラメータの組に基づいて上昇され、
１つまたは複数の電力割振りパラメータの前記組が、ＰＢＣＨシンボル用の少なくとも１つの電力割振りパラメータと、非ＰＢＣＨシンボル用の少なくとも１つの電力割振りパラメータとを備える、
請求項１に記載の方法。
【請求項３】
ヌルトーンの電力調整に関するシグナリングを受信することをさらに備える、請求項２に記載の方法。
【請求項４】
システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記ＰＢＣＨ送信のためのレートマッチング情報を受信することをさらに備える、請求項２に記載の方法。
【請求項５】
前記ＰＢＣＨ送信に使用されないＰＤＳＣＨシンボルの電力調整に関するシグナリングを受信することをさらに備える、請求項２に記載の方法。
【請求項６】
前記異なるタイプのダウンリンク送信が、少なくとも１つの同期信号を備える、請求項１に記載の方法。
【請求項７】
基地局（ＢＳ）によるワイヤレス通信のための方法であって、
無線フレームの少なくとも１つのサブフレーム中で物理ブロードキャストチャネル（ＰＢＣＨ）を送信することと、
前記無線フレームの同じサブフレームまたは異なるサブフレームのうちの少なくとも１つにおいて前記ＰＢＣＨの送信を反復することと
を備える、方法。
【請求項８】
前記ＰＢＣＨの反復送信が、いくつかの動作帯域幅のみを用いて実行される、請求項７に記載の方法。
【請求項９】
前記ＰＢＣＨの送信を反復することが、前記送信されたＰＢＣＨとは異なるシンボルを使用して、前記同じサブフレーム中の前記ＰＢＣＨの送信を反復することを備える、請求項７に記載の方法。
【請求項１０】
前記ＰＢＣＨの送信を反復することが、異なる周波数リソースを使用して前記同じサブフレーム中で前記ＰＢＣＨの送信を反復することを備える、請求項７に記載の方法。
【請求項１１】
前記ＰＢＣＨの送信を反復することが、各送信において同じバージョンおよびペイロードで前記ＰＢＣＨの送信を反復することを備える、請求項７に記載の方法。
【請求項１２】
前記ＰＢＣＨの反復送信が、いくつかの無線フレームのみにおいて実行される、請求項７に記載の方法。
【請求項１３】
システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記反復されたＰＢＣＨ送信のためのレートマッチング情報をシグナリングすることをさらに備える、請求項７に記載の方法。
【請求項１４】
前記ＰＢＣＨの反復送信は、ユーザ機器（ＵＥ）からのバンドルされたランダムアクセスチャネル（ＲＡＣＨ）送信の受信によってトリガされる、請求項７に記載の方法。
【請求項１５】
ユーザ機器（ＵＥ）によるワイヤレス通信のための方法であって、
無線フレーム中の反復された物理ブロードキャストチャネル（ＰＢＣＨ）送信のためのレートマッチング情報を受信することと、
前記レートマッチング情報に基づいて前記無線フレーム中のダウンリンク送信を処理することと
を備える、方法。
【請求項１６】
前記ＰＢＣＨ送信が、前記無線フレームの同じサブフレームまたは異なるサブフレームのうちの少なくとも１つにおいて反復される、請求項１５に記載の方法。
【請求項１７】
前記レートマッチング情報が、システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介してシグナリングされる、請求項１５に記載の方法。
【手続補正２】
【補正対象書類名】明細書
【補正対象項目名】００８０
【補正方法】変更
【補正の内容】
【００８０】
[0101]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に本願の出願当初の特許請求の範囲に記載された発明を付記する。
［Ｃ１］  ユーザ機器（ＵＥ）によるワイヤレス通信のための方法であって、
物理ダウンリンク共有チャネル（ＰＤＳＣＨ）送信を受信することと、
前記ＰＤＳＣＨ送信と比較して上昇した送信電力を有する、異なるタイプのダウンリンク送信を受信することと、
前記異なるタイプのダウンリンク送信の前記送信電力に基づいて共通基準信号（ＣＲＳ）に対する前記ＰＤＳＣＨ送信の相対送信電力に関する情報を受信することと、
前記情報に基づいて前記ＰＤＳＣＨ送信を処理することと
を備える、方法。
［Ｃ２］  前記異なるタイプのダウンリンク送信が、物理ブロードキャストチャネル（ＰＢＣＨ）送信を備え、ここにおいて、
前記ＰＢＣＨ送信の送信電力が、１つまたは複数の電力割振りパラメータの組に基づいて上昇され、
１つまたは複数の電力割振りパラメータの前記組が、ＰＢＣＨシンボル用の少なくとも１つの電力割振りパラメータと、非ＰＢＣＨシンボル用の少なくとも１つの電力割振りパラメータとを備える、
Ｃ１に記載の方法。
［Ｃ３］  ヌルトーンの電力調整に関するシグナリングを受信することをさらに備える、Ｃ２に記載の方法。
［Ｃ４］  システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記ＰＢＣＨ送信のためのレートマッチング情報を受信することをさらに備える、Ｃ２に記載の方法。
［Ｃ５］  前記ＰＢＣＨ送信に使用されないＰＤＳＣＨシンボルの電力調整に関するシグナリングを受信することをさらに備える、Ｃ２に記載の方法。
［Ｃ６］  前記異なるタイプのダウンリンク送信が、少なくとも１つの同期信号を備える、Ｃ１に記載の方法。
［Ｃ７］  基地局（ＢＳ）によるワイヤレス通信のための方法であって、
無線フレームの少なくとも１つのサブフレーム中の物理ブロードキャストチャネル（ＰＢＣＨ）を送信することと、
前記無線フレームの前記同じサブフレームまたは異なるサブフレームのうちの少なくとも１つにおいて前記ＰＢＣＨの送信を反復することと
を備える、方法。
［Ｃ８］  前記ＰＢＣＨの反復送信が、いくつかの動作帯域幅のみを用いて実行される、Ｃ７に記載の方法。
［Ｃ９］  前記ＰＢＣＨの反復送信が、前記送信されたＰＢＣＨとは異なるシンボルを使用した前記同じサブフレーム中の前記ＰＢＣＨの反復送信を備える、Ｃ７に記載の方法。
［Ｃ１０］  前記ＰＢＣＨの反復送信が、異なる周波数リソースを使用した前記同じサブフレーム中の前記ＰＢＣＨの反復送信を備える、Ｃ７に記載の方法。
［Ｃ１１］  前記ＰＢＣＨの反復送信が、各送信における同じバージョンおよびペイロードでの前記ＰＢＣＨの反復送信を備える、Ｃ７に記載の方法。
［Ｃ１２］  前記ＰＢＣＨの反復送信が、いくつかの無線フレームのみにおいて実行される、Ｃ７に記載の方法。
［Ｃ１３］  システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記反復されたＰＢＣＨ送信のためのレートマッチング情報をシグナリングすることをさらに備える、Ｃ７に記載の方法。
［Ｃ１４］  前記ＰＢＣＨの反復送信は、ユーザ機器（ＵＥ）からのバンドルされたランダムアクセスチャネル（ＲＡＣＨ）送信の受信によってトリガされる、Ｃ７に記載の方法。
［Ｃ１５］  ユーザ機器（ＵＥ）によるワイヤレス通信のための方法であって、
無線フレーム中の反復された物理ブロードキャストチャネル（ＰＢＣＨ）送信のためのレートマッチング情報を受信することと、
前記レートマッチング情報に基づいて前記無線フレーム中のダウンリンク送信を処理することと
を備える、方法。
［Ｃ１６］  前記ＰＢＣＨ送信が、前記無線フレームの同じサブフレームまたは異なるサブフレームのうちの少なくとも１つにおいて反復される、Ｃ１５に記載の方法。
［Ｃ１７］  前記レートマッチング情報が、システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介してシグナリングされる、Ｃ１５に記載の方法。
［Ｃ１８］  基地局（ＢＳ）によるワイヤレス通信のための方法であって、
ユーザ機器（ＵＥ）からバンドルされたランダムアクセスチャネル（ＲＡＣＨ）送信を受信することと、
前記バンドルされたＲＡＣＨ送信を受信することに応答してブロードキャスト情報のバンドルされた送信をトリガすることと
を備える、方法。
［Ｃ１９］  ブロードキャスト情報の前記バンドルされた送信が、少なくとも１つのシステム情報ブロック（ＳＩＢ）を備える、Ｃ１８に記載の方法。
［Ｃ２０］  ブロードキャスト情報の前記バンドルされた送信が、利用可能なＳＩＢのサブセットのみを備える、Ｃ１９に記載の方法。
［Ｃ２１］  ブロードキャスト情報の前記バンドルされた送信が、少なくとも１つの物理ブロードキャストチャネル（ＰＢＣＨ）を備える、Ｃ１８に記載の方法。
［Ｃ２２］  ブロードキャスト情報の前記バンドルされた送信が、少なくとも１つのシステム情報ブロック（ＳＩＢ）をさらに備える、Ｃ２１に記載の方法。
［Ｃ２３］  前記バンドルされたＲＡＣＨ送信を受信する前にバンドルされた物理ＲＡＣＨ（ＰＲＡＣＨ）構成を示すシステム情報ブロック（ＳＩＢ）のバンドルされた送信を送信することをさらに備える、Ｃ１８に記載の方法。
【外国語明細書】
2019169957000001.pdf